(57)【要約】      （修正有）【課題】磁力による斥力で収容空間中を浮上する装身具を備える浮上効果のある装身具アセンブリを提供する。【解決手段】下フレーム及びそれに固定された透明な下カバーを含むベースと、ベースと組み合わせて一体に結合しており、透明な上カバー７が固定され、上カバーと透明な下カバーとの組合せにより収容空間を形成した上フレームと、ベースに設けられた第一磁気部品と、第二磁気部品を有し、磁力による斥力で収容空間中を浮上するように、二つの磁気部品の磁極同士が対向して設けられている装身具８と、を備える。【選択図】図１
0003212797.tif 000002
【実用新案登録請求の範囲】
【請求項１】
下フレーム及びそれに固定された透明な下カバーを含むベースと、
前記ベースと組み合わせて一体に結合しており、透明な上カバーが固定されたもので、この上カバーと前記透明な下カバーとの組合せにより収容空間を形成した上フレームと、
前記ベースに設けられた第一磁気部品と、
第二磁気部品が設けられ、前記収容空間に設けられているもので、磁力による斥力で前記収容空間中を浮上するように、前記第一磁気部品と第二磁気部品の磁極同士が対向して設けられている装身具と、
を備えることを特徴とする浮上効果のある装身具アセンブリ。
【請求項２】
前記ベースフレームは、
金属製の構造的下フレームと、
前記構造的下フレーム内に設けられた外部下フレームと、
前記外部下フレーム内に設けられて、前記外部下フレームと結合している内部下フレームとを含むことを特徴とする、請求項１に記載の浮上効果のある装身具アセンブリ。
【請求項３】
前記透明な下カバーは前記した外部下フレームと内部下フレームとの間に嵌められていることを特徴とする、請求項２に記載の浮上効果のある装身具アセンブリ。
【請求項４】
前記第一磁気部品は前記構造的下フレームの一端に設けられていることを特徴とする、請求項１に記載の浮上効果のある装身具アセンブリ。
【請求項５】
前記第一磁気部品は前記構造的下フレームの一端に固定され、前記構造的下フレーム全体の周囲の４０−６０％を占めるように配置されていることを特徴とする、請求項４に記載の浮上効果のある装身具アセンブリ。
【請求項６】
前記上フレームは互いに結合されている外部上フレームと内部上フレームとを含むことを特徴とする、請求項１に記載の浮上効果のある装身具アセンブリ。
【請求項７】
前記透明な上カバーは前記外部上フレームと内部上フレームとの間に嵌められていることを特徴とする、請求項６に記載の浮上効果のある装身具アセンブリ。
【請求項８】
前記装身具における第二磁気部品は少なくとも１粒以上例えば４粒であることを特徴とする、請求項１に記載の浮上効果のある装身具アセンブリ。
【請求項９】
前記透明な下カバーと透明な上カバーは水晶ガラス製であり、それらの厚さが１ｍｍ−２ｍｍであることを特徴とする、請求項１に記載の浮上効果のある装身具アセンブリ。
【請求項１０】
前記第一磁気部品と第二磁気部品は磁石やマグネットであることを特徴とする、請求項１に記載の浮上効果のある装身具アセンブリ。
【考案の詳細な説明】
【技術分野】
【０００１】
本実用新案は、体につける装身具の技術分野に関し、具体的には、磁力による浮上効果を有する装身具アセンブリに関する。
【背景技術】
【０００２】
装身具は、現代人特に現代女性に不可欠なものとなってきている。人々の生活水準の向上に従って、装身具に対する要求もますます高くなり、精巧且つ綺麗な外観を有するだけでなく、様々な変化や効果を呈することができるものが求められている。
【０００３】
民衆の好みに迎合するために、宝石商は様々な装身具を製造していた。例えば、摺動ダイヤモンド（ｈａｐｐｙ  ｄｉａｍｏｎｄ）シリーズの宝飾品及び腕時計が知られており、このシリーズの製品中のダイヤモンドは宝飾品や腕時計中を揺れ動くことができ、従来の象嵌による束縛から抜け出て、従来製品の単一の効果が改善され、新たな意匠が生み出され、人々を震撼させた。
【０００４】
上記製品中のダイヤモンドは水晶面内を揺れ動くだけのものであり、装身具自体はやはり美観効果に乏しく、装身具の美感に対する現代人の追求を満たしうるものではないことは明らかである。
【考案の概要】
【考案が解決しようとする課題】
【０００５】
上記問題を解決するために、本実用新案は、従来の装身具よりも美感の高く、いかなる機械的接続も採用せずに装身具自体に浮上効果を持たせ、製品を簡潔且つ美観なものにして、民衆の好みに迎合する装身具アセンブリを提供することを主な目的とする。
【課題を解決するための手段】
【０００６】
上記目的を実現するために、本実用新案は以下のような解決手段を採用している。
【０００７】
下フレーム及びそれに固定された透明な下カバーを含むベースと、
前記ベースと組み合わせて一体に結合しており、透明な上カバーが固定されたもので、この上カバーと前記透明な下カバーとの組合せにより収容空間を形成した上フレームと、
前記ベースに設けられた第一磁気部品と、
第二磁気部品が設けられ、前記収容空間に設けられているもので、磁力による斥力で前記収容空間中を浮上するように、前記第一磁気部品と第二磁気部品の磁極同士が対向して設けられている装身具と、
を備える浮上効果のある装身具アセンブリ。
【０００８】
さらに、本実用新案において、前記ベースフレームは、
金属製の構造的下フレームと、
前記構造的下フレーム内に設けられた外部下フレームと、
前記外部下フレーム内に設けられて、前記外部下フレームと結合している内部下フレームとを含む。
【０００９】
さらに、本実用新案において、前記透明な下カバーは前記した外部下フレームと内部下フレームとの間に嵌められている。
【００１０】
本実用新案にかかる浮上効果のある装身具アセンブリにおいて、前記第一磁気部品は前記構造的下フレームの一端に設けられている。
【００１１】
本実用新案にかかる浮上効果のある装身具アセンブリにおいて、前記第一磁気部品は前記構造的下フレームの一端に固定され、前記構造的下フレーム全体の周囲の４０−６０％を占めるように配置されており、例えば５０％を占める。
【００１２】
本実用新案にかかる浮上効果のある装身具アセンブリにおいて、前記上フレームは互いに結合されている外部上フレームと内部上フレームとを含む。
【００１３】
さらに、本実用新案にかかる浮上効果のある装身具アセンブリにおいて、前記透明な上カバーは前記外部上フレームと内部上フレームとの間に嵌められている。
【００１４】
さらに、本実用新案にかかる浮上効果のある装身具アセンブリにおいて、前記装身具における第二磁気部品は少なくとも１粒以上例えば４粒であり、十分な磁力を保証して前記装身具を支持するために、装身具の大きさと重量に応じて第二磁気部品の数を選択した。
【００１５】
本実用新案にかかる浮上効果のある装身具アセンブリにおいて、前記透明な下カバーと透明な上カバーは水晶ガラス製であり、それらの厚さが１ｍｍ−２ｍｍである。
【００１６】
好ましくは、前記第一磁気部品と第二磁気部品は磁石やマグネットである。
【００１７】
好ましくは、本実用新案にかかる浮上効果のある装身具アセンブリにおける外部下フレーム、内部下フレーム、外部上フレーム及び内部上フレームは全て防水性接着剤で接着されており、製品全体に防水効果を持たせた。
【００１８】
要するに、本実用新案にかかる浮上効果のある装身具アセンブリは磁石やマグネットの磁力を利用したものであり、二つの磁気部品を対向させて設けることによる斥力で、磁気部品の接続された装身具をいかなる機械的機構も使用しないながら透明な下カバーと上カバーとの間の空間中を浮上させることができ、浮上の効果を生み出した。
【００１９】
また、前記下カバーと上カバーに異なる図柄を設けて浮上の効果をよりうまくするようにしてもよく、そして異なる図柄に応じて異なる変化を表すことも可能になる。
【００２０】
本実用新案にかかる浮上効果のある装身具アセンブリは防水効果を有するものであり、装身具を水やミストによる浸食から保護して、製品の寿命を延ばすことができる。
【００２１】
本実用新案にかかる浮上効果のある装身具アセンブリは意匠が独特である一方、製品全体の構造が複雑ではなく、民衆に受け入れられやすい。
【図面の簡単な説明】
【００２２】
以下、図面及び実施例に合わせて、本実用新案にかかる機構をさらに詳細に説明する。
【図１】本実用新案にかかる浮上効果のある装身具アセンブリの一実施例の正面模式図である。
【図２】本実用新案にかかる浮上効果のある装身具アセンブリの一実施例の正面の斜視模式図である。
【図３】本実用新案にかかる浮上効果のある装身具アセンブリの一実施例の上面図である。
【図４】本実用新案にかかる浮上効果のある装身具アセンブリの一実施例の裏面模式図である。
【図５】本実用新案にかかる浮上効果のある装身具アセンブリの一実施例の裏面の斜視模式図である。
【図６】本実用新案にかかる浮上効果のある装身具アセンブリの一実施例の底面図である。
【図７】本実用新案にかかる浮上効果のある装身具アセンブリの他の実施例の正面模式図である。
【図８】本実用新案にかかる浮上効果のある装身具アセンブリの他の実施例の正面の斜視模式図である。
【図９】本実用新案にかかる浮上効果のある装身具アセンブリの他の実施例の上面図である。
【図１０】本実用新案にかかる浮上効果のある装身具アセンブリの他の実施例の裏面模式図である。
【図１１】本実用新案にかかる浮上効果のある装身具アセンブリの他の実施例の裏面の斜視模式図である。
【図１２】本実用新案にかかる浮上効果のある装身具アセンブリの他の実施例の底面図である。
【考案を実施するための形態】
【００２３】
以下の実施例により、本実用新案にかかる浮上効果のある装身具アセンブリの構造を詳細に説明する。
【００２４】
図１−図６には、本実用新案にかかる浮上効果のある装身具アセンブリの一実施例が示されている。この実施例では、前記浮上効果のある装身具アセンブリはベース及び上フレームを備え、両者が一体に結合されている。前記ベースは下フレーム及び透明な下カバー４を含み、前記透明な下カバー４は前記下フレームに固定されている。さらに、本実用新案において、前記ベースフレームは金属製の構造的下フレーム１と、前記構造的下フレーム１内に設けられた外部下フレーム２と、前記外部下フレーム２内に設けられて、前記外部下フレーム２と結合している内部下フレーム２とを含む。
【００２５】
さらに、前記透明な下カバー４は前記した外部下フレーム２と内部下フレーム３との間に嵌められている。一実施例では、前記透明な下カバーは水晶ガラス製であり、その厚さが１ｍｍ−２ｍｍで、例えば１．８ｍｍである。
【００２６】
前記構造的下フレーム１は、多様な審美上の需要を満たすために、様々な形状、例えば正方形、長方形、ハート形、円形、楕円形、五辺形、六辺形、八辺形又は菱形等にしてもよい。本実施例では、前記構造的下フレーム１はハート形に設計されている。
【００２７】
構造的下フレーム１の形状に合わせるように、その他の全ての部材例えば外部下フレーム２と内部下フレーム３や、上フレームの形状等を設計するようにする。
【００２８】
前記浮上効果のある装身具アセンブリは上フレームを備え、前記上フレームは前記ベースと組み合わせて一体に結合しており、透明な上カバー７が固定され、この上カバーと前記透明な下カバーとの組合せにより収容空間を形成した。一実施例では、前記上フレームは互いに結合されている外部上フレーム５と内部上フレーム６とを含み、前記透明な上カバー７は前記外部上フレーム５と内部上フレーム６との間に嵌められている。一実施例では、前記透明な下カバーは水晶ガラス製であり、その厚さが１ｍｍ−２ｍｍで、例えば１．５ｍｍである。
【００２９】
前記浮上効果のある装身具アセンブリは前記ベースに設けられている第一磁気部品９を備える。具体的には、前記第一磁気部品９は前記下フレーム１の位置１Ａに固定されている。十分な磁力を保つために、前記第一磁気部品９は十分な長さを持つべく、好ましくは、第一磁気部品９に十分な磁力を発生させるために、前記構造的下フレームの周囲の４０−６０％例えば５０％を占めるように第一磁気部品９を配置する。
【００３０】
前記浮上効果のある装身具アセンブリは装身具８、例えば黄金製の装身具又は宝飾品やダイヤモンドを備え、この装身具８に第二磁気部品１０が設けられ、前記装身具８は前記透明な上カバー４と７による収容空間に設けられている。そのうち、前記装身具８を磁力による斥力で前記収容空間中を浮上させるために、前記第一磁気部品９と第二磁気部品１０は磁極が対向して設けられている。
【００３１】
さらに、十分な磁力で前記装身具を吸引して保持し、そして前記第一磁気部品９による斥力に対応するために、装身具８の大きさと重量に応じて十分な数の第二磁気部品を選択する。本実用新案にかかる浮上効果のある装身具アセンブリの一実施例において、前記装身具８における第二磁気部品は少なくとも１粒以上であり、例えば４粒に設けられている。
【００３２】
好ましくは、前記第一磁気部品９と第二磁気部品１０はいずれも磁石やマグネットである。あるいは、前記磁気部品に同様な効果を有するその他の素子を採用してもよい。
【００３３】
好ましくは、本実用新案にかかる浮上効果のある装身具アセンブリにおける外部下フレーム２、内部下フレーム３、外部上フレーム５及び内部上フレーム６は全て防水性接着剤で接着されており、製品全体に防水効果を持たせた。
【００３４】
図７−１２に示されるように、本実用新案にかかる浮上効果のある装身具アセンブリの他の実施例であり、この実施例では、素子は全て変えられず、前記構造的下フレーム１の形状を五辺形に設計したのみであるが、製品全体に異なる視覚効果を生み出させた。
【００３５】
さらに、前記透明な上カバー４と７に異なる図柄を設け浮上効果と積み重ねて、製品全体により高い吸引力を持たせてもよい。
【００３６】
本実用新案の製品を作製する時、まず製品の形状を決め、必要な素子を用意しておく必要がある。金属製の構造的下フレーム１から、まず水晶ガラス製の下カバー４を防水性接着剤で外部下フレーム２と内部下フレーム３の位置に接着し、そして第一磁気部品９を金属製の構造的下フレーム１Ａに固定する。
【００３７】
次に、第二磁気部品１０を装身具８に据え付け、そのうち、前記第二磁気部品１０は接着剤で前記装身具８に接着されてもよい。
【００３８】
最後に、接着された装身具底部の第二磁気部品１０の装身具８の正面を金属製の構造的下フレーム１Ｂの水晶ガラス製の下カバー４の正面に置き、さらに水晶ガラス製の上カバー７を外部上フレーム５と内部上フレーム６の位置に接着する。このようにして、装身具８は二つの水晶ガラスカバーの間に挟持され、製品全体の作製が完了した。
【００３９】
また、前記下カバーと上カバーに異なる図柄を設けて浮上の効果をよりうまくするようにしてもよく、そして異なる図柄に応じて異なる変化を表すことも可能になる。
【００４０】
要するに、本実用新案にかかる浮上効果のある装身具アセンブリは磁石やマグネットの磁力を利用したものであり、二つの磁気部品を対向させて設けることによる斥力で、磁気部品の接続された装身具をいかなる機械的機構も使用しないながら透明な下カバーと上カバーとの間の空間中を浮上させることができ、浮上の効果を生み出した。また、異なる装身具については、新たに調整し異なる磁石の組合せを使用する必要がある。
【００４１】
本実用新案の製品が空間中を浮上する効果を達成できる最も重要な原因は物理学における同極反発の原理であるため、安定的な浮上効果を実現するために、磁石やマグネットの磁力について実際の需要に応じて設定するべきであることに留意されたい。このため、本実用新案の製品が電界にあると、装身具がずれるようになるが、製品を電界から離れさせば、直ちに浮上効果を回復できる。本実用新案の製品は垂直につけるものであるから、垂れ飾りや耳輪のみに適し、指輪のような製品に適しないものであることにも留意されたい。
【００４２】
本実用新案にかかる浮上効果のある装身具アセンブリは防水効果を有し、装身具を水やミストによる浸食から保護して、製品の寿命を延ばすことができる。
【００４３】
本実用新案にかかる浮上効果のある装身具アセンブリは意匠が独特である一方、製品全体の構造が複雑ではなく、民衆に受け入れられやすい。
【００４４】
最後に強調する必要があるのは、上記は本実用新案の好ましい実施例に過ぎず、本実用新案を制限するためのものではない。当業者にとっては、本実用新案に様々な変化や変更を行うことができ、本実用新案の精神と原則の範囲においてなされたあらゆる手直し、等価取替、改良等は、本実用新案の保護範囲に含まれているはずである。
【図１】
0003212797.tif 000003
【図２】
0003212797.tif 000004
【図３】
0003212797.tif 000005
【図４】
0003212797.tif 000006
【図５】
0003212797.tif 000007
【図６】
0003212797.tif 000008
【図７】
0003212797.tif 000009
【図８】
0003212797.tif 000010
【図９】
0003212797.tif 000011
【図１０】
0003212797.tif 000012
【図１１】
0003212797.tif 000013
【図１２】
0003212797.tif 000014
【手続補正書】
【提出日】平成29年8月2日(2017.8.2)
【手続補正１】
【補正対象書類名】実用新案登録請求の範囲
【補正対象項目名】全文
【補正方法】変更
【補正の内容】
【実用新案登録請求の範囲】
【請求項１】
下フレーム及びそれに固定された透明な下カバーを含むベースと、
前記ベースと組み合わせて一体に結合しており、透明な上カバーが固定されたもので、この上カバーと前記透明な下カバーとの組合せにより収容空間を形成した上フレームと、
前記ベースに設けられた第一磁気部品と、
第二磁気部品が設けられ、前記収容空間に設けられているもので、磁力による斥力で前記収容空間中を浮上するように、前記第一磁気部品と第二磁気部品の磁極同士が対向して設けられている装身具と、
を備えることを特徴とする浮上効果のある装身具アセンブリ。
【請求項２】
前記下フレームは、
金属製の構造的下フレームと、
前記構造的下フレーム内に設けられた外部下フレームと、
前記外部下フレーム内に設けられて、前記外部下フレームと結合している内部下フレームとを含むことを特徴とする、請求項１に記載の浮上効果のある装身具アセンブリ。
【請求項３】
前記透明な下カバーは前記した外部下フレームと内部下フレームとの間に嵌められていることを特徴とする、請求項２に記載の浮上効果のある装身具アセンブリ。
【請求項４】
前記第一磁気部品は前記構造的下フレームの一端に設けられていることを特徴とする、請求項２に記載の浮上効果のある装身具アセンブリ。
【請求項５】
前記第一磁気部品は前記構造的下フレームの一端に固定され、前記構造的下フレーム全体の周囲の４０−６０％を占めるように配置されていることを特徴とする、請求項４に記載の浮上効果のある装身具アセンブリ。
【請求項６】
前記上フレームは互いに結合されている外部上フレームと内部上フレームとを含むことを特徴とする、請求項１に記載の浮上効果のある装身具アセンブリ。
【請求項７】
前記透明な上カバーは前記外部上フレームと内部上フレームとの間に嵌められていることを特徴とする、請求項６に記載の浮上効果のある装身具アセンブリ。
【請求項８】
前記装身具における第二磁気部品は少なくとも１粒以上例えば４粒であることを特徴とする、請求項１に記載の浮上効果のある装身具アセンブリ。
【請求項９】
前記透明な下カバーと透明な上カバーは水晶ガラス製であり、それらの厚さが１ｍｍ−２ｍｍであることを特徴とする、請求項１に記載の浮上効果のある装身具アセンブリ。
【請求項１０】
前記第一磁気部品と第二磁気部品は磁石やマグネットであることを特徴とする、請求項１に記載の浮上効果のある装身具アセンブリ。